(57)【要約】【課題】袋の開口部を容易に内側から指でつまむことができるように構成可能なプラスチック製ジッパーテープ及び該ジッパーテープを備えたプラスチック製袋を得る。【解決手段】上辺を開口部２２とした状態で原反フィルム２１を溶着したプラスチック製袋。開口部２２の内側面には、互いに嵌合、解除可能な凹部１２及び凸部１３をそれぞれテープ状のベース部分１１，１１に形成した一対のジッパーテープ１０，１０が溶着されている。このジッパーテープ１０は、少なくともベース部分１１が異なる色に着色されており、かつ、フラップ部２３ａ，２３ｂとなるベース部分１１の幅寸法Ａ２，Ｂ２が互いに異なり、開口部２２は段差Ｃを有している。【選択図】　図１
2004142746.tif 000002
【特許請求の範囲】
【請求項１】
互いに嵌合、解除可能な凹部及び凸部をそれぞれテープ状のベース部分に形成した一対のプラスチック製ジッパーテープにおいて、
少なくとも前記一対のベース部分が互いに異なる色に着色されており、
前記一対のベース部分の幅寸法が互いに異なっていること、
を特徴とするプラスチック製ジッパーテープ。
【請求項２】
一辺を開口部とした状態でプラスチックフィルムを溶着し、該開口部の内側面に、互いに嵌合、解除可能な凹部及び凸部をそれぞれテープ状のベース部分に形成した一対のプラスチック製ジッパーテープを取り付けたプラスチック製袋において、
前記ジッパーテープは、少なくとも一対のベース部分が互いに異なる色に着色されており、かつ、一対のベース部分の幅寸法が互いに異なっており、
前記ベース部分はその上端が互いに高さが異なる段差状に前記開口部の内側面に取り付けられていること、
を特徴とするプラスチック製袋。
【発明の詳細な説明】
【０００１】
【発明の属する技術分野】
本発明は、プラスチック製袋の開口部に設けられるプラスチック製ジッパーテープ及び該ジッパーテープを備えたプラスチック製袋に関する。
【０００２】
【従来の技術】
従来から、プラスチック製の袋として、図３に示すように、１枚の原反フィルム２を下辺部分で折り返して両側部分を溶着（溶着部ａ，ａは斜線を付して示す）してカットし、あるいは溶断し、上辺を開口部３とした袋１が提供されている。
【０００３】
この袋１の開口部３の内側面には、互いに嵌合、解除可能な凹部７及び凸部８をそれぞれテープ状のベース部分６に形成した一対のプラスチック製ジッパーテープ５が溶着されている。
【０００４】
【発明が解決しようとする課題】
ところで、前記プラスチック製袋１にあっては、開口部３を開ける場合、袋１を構成するフィルム２の開口部３部分（以下、この部分をフラップ部４と記す）の上端部を指でつまんで左右に拡げることになるが、フラップ部４，４の上端が同じ高さに揃えられているため、フラップ部４，４をそれぞれ指でつまむことは困難で煩雑でもあった。
【０００５】
このような不具合を解消するため、一方のフラップ部４を、図３（Ｂ）に示すように一点鎖線Ｘでカットし、フラップ部４，４を段差状態とすることが考えられる。この場合、フィルム２に印刷が施されていれば、フラップ部４，４の長短を容易に見分けることができ、長い方のフラップ部４の内側面に指を当てて容易に開口することが可能である。
【０００６】
しかし、フラップ部４，４が透明のまま残されていたり、ジッパーテープ５，５が開口部３の上端に近接して設けられているような場合には、フラップ部４，４の長短及び外側、内側を容易には判別できないという問題点を有している。
【０００７】
そこで、本発明の目的は、袋の開口部を容易に内側から指でつまむことができるように構成可能なプラスチック製ジッパーテープを提供することにある。
【０００８】
本発明の他の目的は、開口部を容易に内側から指でつまむことができるプラスチック製袋を提供することにある。
【０００９】
【課題を解決するための手段、作用及び効果】
以上の目的を達成するため、第１の発明は、互いに嵌合、解除可能な凹部及び凸部をそれぞれテープ状のベース部分に形成した一対のプラスチック製ジッパーテープにおいて、少なくとも前記一対のベース部分が互いに異なる色に着色されており、前記一対のベース部分の幅寸法が互いに異なっていることを特徴とする。
【００１０】
また、第２の発明は、一辺を開口部とした状態でプラスチックフィルムを溶着し、該開口部の内側面に、互いに嵌合、解除可能な凹部及び凸部をそれぞれテープ状のベース部分に形成した一対のプラスチック製ジッパーテープを取り付けたプラスチック製袋において、前記ジッパーテープは、少なくとも一対のベース部分が互いに異なる色に着色されており、かつ、一対のベース部分の幅寸法が互いに異なっており、前記ベース部分はその上端が互いに高さが異なる段差状に前記開口部の内側面に取り付けられていることを特徴とする。
【００１１】
前記ジッパーテープにあっては、一対のベース部分の幅寸法が互いに異なっているため、プラスチック製袋の開口部の内側面に取り付けた場合、ベース部分をフラップ部として構成すれば、フラップ部を長短に差のある段差状態とすることができる。しかも、少なくとも一対のベース部分が互いに異なる色に着色されているため（凹部及び凸部を含めて着色されていてもよい）、その長短を容易に見分けることができ、長い方のフラップ部の内側に指を当てて容易に開口することが可能になる。
【００１２】
【発明の実施の形態】
以下、本発明に係るプラスチック製ジッパーテープ及び該ジッパーテープを備えたプラスチック製袋の実施形態について、添付図面を参照して説明する。
【００１３】
図１に本発明に係るプラスチック製ジッパーテープ１０を備えたプラスチック製袋２０を示す。この袋２０は１枚の原反フィルム２１を用いて図３に示した従来のプラスチック製袋１と基本的には同じ製袋工程によって製作したものであり、上辺は開口部２２とされている。
【００１４】
そして、ジッパーテープ１０は、互いに嵌合、解除可能な凹部１２及び凸部１３をそれぞれテープ状のベース部分１１，１１に形成したものである。このジッパーテープ１０は押出成形により一体的に成形され、互いに異なる色に着色されている。例えば、一方が青色であれば、他方は赤色や白色であり、識別できる色合いであればどのような色の組合せであってもよい。
【００１５】
着色はプラスチック材料に顔料を混入することにより行われ、凹部１２及び凸部１３を含めてベース部分１１に着色したものであっても、あるいは２色押出成形法を採用してベース部分１１にのみ着色したものであってもよい。
【００１６】
また、このジッパーテープ１０はベース部分１１の幅寸法Ａ，Ｂが互いに異なっている。詳しくは、凹部１２及び凸部１３を中心にして寸法Ａ１，Ｂ１は等しく設定されているが、寸法Ａ２は寸法Ｂ２よりも長く設定されている。
【００１７】
前記ジッパーテープ１０を、寸法Ａ２，Ｂ２を上部にして開口部２２の内側面に溶着し、かつ、袋２０を構成するプラスチックフィルム２１の上端をジッパーテープ１０の上端と一致させれば、寸法Ａ２，Ｂ２部分をフラップ部２３ａ，２３ｂとして機能させることができる。この場合、フラップ部２３ａ，２３ｂは高さが異なる段差状態（段差Ｃ）となっている。
【００１８】
幅寸法Ａ２，Ｂ２からなるフラップ部２３ａ，２３ｂはジッパーテープ１０のベース部分１１であり、着色が異なっていることによってその長短及び外側、内側を容易に判別することができる。そして、図２に示すように、長い方のフラップ部２３ａを一方の手の指でつまみ、そのまま外側面方向（矢印Ｙで示す）にずらし、かつ、短い方のフラップ部２３ｂを他方の手の指でつまんで互いに反対方向に引っ張ると、長短のフラップ部２３ａ，２３ｂを容易に分離することができ、開口部２２を開いて凹部１２及び凸部１３の嵌合を解除することができる。
【００１９】
（他の実施形態）
なお、本発明に係るプラスチック製ジッパーテープ及びプラスチック製袋は前記実施形態に限定するものではなく、その要旨の範囲内で種々に変更できる。
【００２０】
例えば、ジッパーテープ１０は気密性を確実にするために凹部１２及び凸部１３が２連に設けられているものであってもよい。
【００２１】
また、前記実施形態において、袋２０を構成するプラスチックフィルム２１の上端は、ジッパーテープ１０のベース部分１１の上端と一致させるように製袋したものを示したが、ベース部分１１の上端よりも下方に位置していてもよい。さらに、ベース部分１１の下部寸法Ａ１，Ｂ１はその長さが異なっていてもよい。例えば、Ｂ１＝Ａ２であり、かつ、Ａ１＝Ｂ２であってもよい。
【図面の簡単な説明】
【図１】本発明に係るプラスチック製ジッパーテープ及びそれを備えたプラスチック製袋を示す断面図。
【図２】前記プラスチック製袋を開ける状態を示す説明図。
【図３】従来のプラスチック製ジッパーテープ及びそれを備えたプラスチック製袋を示し、（Ａ）は斜視図、（Ｂ）は断面図。
【符号の説明】
１０…プラスチック製ジッパーテープ
１１…ベース部分
１２…凹部
１３…凸部
２０…プラスチック製袋
２１…プラスチックフィルム
２２…開口部
２３ａ，２３ｂ…フラップ部
Ａ，Ｂ…ベース部分の幅寸法
Ａ２，Ｂ２…フラップ部幅寸法
【図１】
2004142746.tif 000003
【図２】
2004142746.tif 000004
【図３】
2004142746.tif 000005